(57)【特許請求の範囲】
【請求項１】
ドア本体に設けられるドアスコープに取付く装着部材と、前記装着部材に軸着される遮蔽部材とを備えており、通常時は前記遮蔽部材が自重垂下によりドアスコープ室内側覗き部を遮蔽する位置であり、前記ドアスコープ使用時は前記ドアスコープ室内側覗き部から前記遮蔽部材を退避させて前記ドアスコープ室内側覗き部を開放するドアスコープ用カバーにおいて、
前記遮蔽部材は、装着部材に対して軸支部材を介して面内方向回転可能に軸着され、
前記装着部材には、ドア本体に対する前記装着部材の回転を防止する回転防止手段が設けられ、
前記回転防止手段は、前記軸支部材の一端部を延長して前記装着部材のドア側面より突出させた突起部材で構成し、
前記突起部材を前記ドア体に設けた挿入穴に挿入することで、前記ドア本体に対する前記装着部材の回転を防止するようにしたことを特徴とするドアスコープ用カバー。
【請求項２】
請求項１において、前記遮蔽部材の室内側面には凹部が設けられており、該凹部に指を当てて前記遮蔽部材を回転させることで、前記ドアスコープ室内側覗き部から前記遮蔽部材を退避させて前記ドアスコープ室内側覗き部を開放することを特徴とするドアスコープ用カバー。
【請求項３】
請求項１または２に記載のドアスコープ用カバーが取付くドアのドア本体であって、前記突起部材を挿入する前記挿入穴と前記ドアスコープを取付ける穴とが設けられていることを特徴とするドア本体。
【発明の詳細な説明】
【技術分野】
【０００１】
本発明は、ドアに設けられて外部の様子を観察することができるドアスコープの室外側から室内側への観察を防止するために、ドアスコープの室内側覗き部を遮断するために用いるカバーに関するものである。
【背景技術】
【０００２】
ドアスコープはドア本体に設けられており、室内側にいる居住者が、ドアを開ける前に室外にいる来訪者を確認するために用いられるものである。しかし、従来のドアスコープは室外側から室内側の様子を知ること可能であったため、不審者などが室内側の様子を覗く行為や、部屋内からの明かり洩れにより留守かどうかを確認する行為のためにドアスコープが利用されてしまうという防犯上の問題があった。
【０００３】
そこで、このような防犯上の問題に対応する措置として、特開２００４−１００４５５号公報には、ドアスコープに取付けられるドアスコープ用カバーであって、ドアスコープ室内側フランジ部を覆うカバー片と、このカバー片をドアスコープに取付けるための取付けリングからなり、カバー片は取付けリングに対し回転可能に取付けられているドアスコープ用カバーが開示されている。ここで、ドアスコープは、室外側フランジと外周に雄ネジ部を備えた内筒と、室内側フランジと内部周面に雌ネジ部を備えた外筒とからなっており、そのドア本体への取付けは、ドア本体の室外側から内筒を、室外側から外筒を差込んで、互いのネジ部を締め込んで行う。また、ドアスコープ用カバーの取付けについては、ドアスコープ用カバーの前記取付けリングが、外筒に外嵌されてドアスコープに対し回転可能な状態であるが、室内側フランジ部と室内側ドア板とに押し当てられて固定することにより、ドア本体に対しては回転せずに取付いている。このように取付けられたドアスコープ用カバーは、通常、カバー片の自重垂下により、ドアスコープ室内側フランジ部を覆っているので、室外側から室内側の様子を伺うことはできない。一方、居住者がドアスコープを覗き見る場合はには、カバー片を左右何れかの方向に振って操作し、室内側フランジ部を露出させればよく、覗き見た後はカバー片から手を放せば、カバー片はその自重垂下により回転し、再びカバー片が室内側フランジ部を覆うことになる。
【特許文献１】特開２００４−１００４５５号公報
【発明の開示】
【発明が解決しようとする課題】
【０００４】
しかし、上記の開示されているドアスコープ用カバーは、室内側フランジ部と室内側ドア板とでドアスコープ用カバーの取付リングを押し当てて固定して、ドア本体に取付けているだけなので、ドアを繰り返し開閉しているうちに、あるいは、ドアスコープを使用するためにカバー片を繰り返し操作しているうちにドアスコープの取付けが緩んで、取付けリングが本来の位置から回転してずれてしまい、その結果、カバー片が自重垂下によりドアスコープ室内側フランジ部を覆うことができずに、室外側から内部側の様子を知ることが可能になってしまうといった問題が生じていた。
本発明は、上記問題点を解決するために創案されたものであり、ドアを開閉したり、ドアスコープを使用するためにカバー片を繰り返し操作してドアスコープの取付けが緩んでも、取付けリングが本来の位置から回転してずれてしまうことを防止することにより、通常時は、常にカバー片が自重垂下によりドアスコープ室内側フランジ部を覆うので、室外側から内部側の様子を知ることが防止され、しかも、安全にドアスコープ用カバーを操作できるドアスコープ用カバーと、これを用いるドア本体とを提供することを目的とするものである。
【課題を解決するための手段】
【０００５】
上記課題を解決するために本発明が採用した技術手段は、ドア本体に設けられるドアスコープに取付く装着部材と、前記装着部材に軸着される遮蔽部材とを備えており、通常時は前記遮蔽部材が自重垂下によりドアスコープ室内側覗き部を遮蔽する位置であり、前記ドアスコープ使用時は前記ドアスコープ室内側覗き部から前記遮蔽部材を退避させて前記ドアスコープ室内側覗き部を開放するドアスコープ用カバーにおいて、前記遮蔽部材は、装着部材に対して軸支部材を介して面内方向回転可能に軸着され、前記装着部材には、ドア本体に対する前記装着部材の回転を防止する回転防止手段が設けられ、前記回転防止手段は、前記軸支部材の一端部を延長して前記装着部材のドア側面より突出させた突起部材で構成し、前記突起部材を前記ドア体に設けた挿入穴に挿入することで、前記ドア本体に対する前記装着部材の回転を防止するようにしたことを特徴とするドアスコープ用カバーである。
【０００６】
好ましくは、前記遮蔽部材の室内側面には凹部が設けられており、該凹部に指を当てて前記遮蔽部材を回転させることで、前記ドアスコープ室内側覗き部から前記遮蔽部材を退避させて前記ドアスコープ室内側覗き部を開放することを特徴とするドアスコープ用カバーである。
【０００８】
本発明が採用した他の技術手段は、前記ドアスコープ用カバーが取付くドアのドア本体であって、前記突起部材を挿入する前記挿入穴と前記ドアスコープを取付ける穴とが設けられていることを特徴とするドア本体である。
【発明の効果】
【０００９】
請求項１に係る発明では、ドアスコープを使用するために遮蔽部材を繰り返し操作しても、装着部材が本来の位置から回転してずれてしまうことを防止できるので、室外側から内部側の様子を知ることが防止される。
【００１０】
請求項２に係る発明では、前記遮蔽部材の室内側面には凹部が設けられているので、安全で、しかも容易に遮蔽部材を操作することができる。
【００１２】
請求項３に係る発明では、ドアスコープを使用するために遮蔽部材を繰り返し操作しても、装着部材が本来の位置から回転してずれてしまうことを防止することができるドアスコープ用カバーを設けるためのドアを製作することができる。
【発明を実施するための最良の形態】
【００１３】
本発明に係るドアスコープ用カバーとドアスコープ用カバーを用いるドア本体の実施形態を、図1乃至図６基づき説明する。
【００１４】
図１（A）はドアスコープおよび本発明に係るドアスコープ用カバーが設けられたドアの全体正面図である。ドア１は、ドア枠２およびドア本体３から成り、通常、ドア本体３には、施錠金具４や自閉装置５などのドアの開閉機能に必要な金具が設けられている。ドアスコープ６およびドアスコープ用カバー７は、ドア本体３の幅方向約中央で、目線の高さに位置に取付いている。図2（A）、（B）は通常時におけるドアスコープ用カバー７が取付いたドア本体３の正面詳細図と断面詳細図、図３（A）、（B）は観察時におけるドアスコープ用カバー７が取付いたドア本体３の正面詳細図と断面詳細図である。ドアスコープ６は、室外側フランジ１０とレンズ（図示せず）および外周に雄ネジ部１１を有する内筒１２を備えた室外側筒状体１３と、室内側フランジ１４と内部周面に雌ネジ部１５を有する外筒１６を備えた室内側筒状体１７とからなっており、ドアスコープ６のドア本体３への取付けは、ドア本体３に貫通して設けられた穴で、その穴径が外筒１６よりも大きく各筒状体のフランジ１０、１４よりも小さいドアスコープ用取付け穴４０に、ドア外部側からは室外側筒状体１３を差込み、ドア内部側からは室内側筒状体１７を差込み、互いのネジ部１１、１５を閉め込んで取り付ける。尚、外筒１６の室内側フランジ１４には、コインやドライバー等の工具を差込むための切り欠き部１８が設けられており、簡単にねじ込み作業ができるようになっている。室内側フランジ１４の正面側略中央は開口しており該開口がドアスコープ室内側覗き部１９となっている。
【００１５】
ドア本体３の室内側面に取付き、ドアスコープ室内側覗き部１９を開閉するドアスコープ用カバー７は、ドアスコープ室内側覗き部１９を覆うカバー片２０（本発明における遮蔽部材に該当する）と、このカバー片２０をドアスコープに取付けるための取付けリング２１（本発明における装着部材に該当する）と、取付けリング２１の回転を防止する突起部材２２（本発明における回転防止手段に該当する）とを有している。カバー片２０は取付けリング２１に対して面内方向回転可能に軸着されており、通常時は前記カバー片２０が自重垂下によりドアスコープ室内側覗き部１９を遮蔽する位置にあり、居住者が室外側を観察する場合には、カバー片２０を１８０度回転させてドアスコープ室内側覗き部１９を開放して観察することができる。また、取付けリング２１はドアスコープ６の外筒１６に対し回転可能に外嵌されてドア本体３に取付いているが、取付けリング２１のドア側面３０に設けられた突起部材２２がドア本体３に設けられた挿入穴４１に挿入されているため、ドア本体３に対し取付けリング２１の回転が防止される。従って、カバー片２０を繰り返し操作してドアスコープ６が緩んでも、ドアスコープ用カバー７は回転することなく本来の位置を保持できる。その結果、通常時は、常にカバー片２０が自重垂下によりドアスコープ室内側覗き部１９を覆うので、室外側から内部側の様子を知ることが防止される。
【００１６】
図４（A）、（B）はドアスコープ用カバー７の正面図と断面図である。カバー片２０は薄板の円形状であり、取付けリング２１と略同一径であるが、ドアスコープ室内側覗き部１９を十分に覆うことができる形状寸法であれば実施例に限定されない。また、カバー片２０の室内側面３３には凹状穴２３が形成されており、居住者が室外側を観察するときに、指を凹状穴２３に当ててカバー片２０を回転させるために用いることができる。実施例においては凹状穴２３が形成されているが、カバー片２０の室内側面３３に段差の少ない凸状部を形成してもよい。カバー片２０の室内側面に凹状穴２３または段差の少ない凸状部が形成されることにより、ドアスコープ用カバー７に目を近づけても目を傷つけたり、あるいは、衣類を引掛けることが無く、しかも、容易にカバー片２０を操作することができる。一方、取付けリング２１は薄板の円形状であり、ドア面側小径部２４と室内面側大径部２５とからなり断面が段差形状を形成した開口穴２６が設けられており、ドア面側小径部２４と室内面側大径部２５の段差により形成される中間フランジ部２７を有している。ドアスコープ用カバー７の取付けにおいて、開口穴２６はドアスコープ６の外筒１６に挿通され、中間フランジ部２７がドアスコープ６の室内側フランジ１４と室内側ドア板４２の間に挟み込まれて固定され、ドアスコープ用カバー７はドア本体３の室内側面に取付けられる。開口穴２６の室内面側大径部２５の厚さと室内側フランジ１４の厚さとは略同一であり、室内側フランジ１４の室内側面２８と取付けリング２１の室内側面２９が略同一面になるようにしてある。これにより、カバー片２０が自重によりドアスコープ室内側覗き部１９を遮蔽する際に、室内側フランジ１４がカバー片２０と干渉しない構成となっていると共に、意匠的にも優れた形態となっている。尚、室内側フランジ部１４がカバー片２０と干渉しない構成となっていれば、開口穴２６は段差形状を形成している必要はない。ただし、その場合、取付けリング２１の室内側面２９に室内側フランジ１４が当接して、取付けリング２１が室内側フランジ１４と室内側ドア板４２の間に挟み込まれてドア本体３に固定されるため、室内側フランジ部１４がカバー片２０と干渉しないように、カバー片２０と取付けリング２１の間にスペーサを設けて軸着しなければならない。また、室内面側大径部２５の径は室内側フランジ１４が納まるように室内側フランジ１４の径より大きく、ドア面側小径部２４の径は外筒１６が納まると共に室内側フランジ１４が抜けないように外筒１６の径より僅かに大きい寸法となっている。従って、ドアスコープ６の外筒１６に外嵌された取付けリング２１は外筒１６に対して回転可能な状態となっている。尚、実施例の取付けリング２１は、取付けリング２１に開口穴２６を設けたリング状の形状としているが、室内側フランジ１４と室内側ドア板４２の間に挟み込まれてドア本体３の室内側面に取付けられる形状であれば、取付けリング２１が開口穴と切り欠きで構成された略U字の形状であっても構わない。その場合は、ドアスコープ６をドア本体３から完全に取外さなくても、ドアスコープ用カバー７をドア本体３に取付けることが可能である。
【００１７】
カバー片２０は取付けリング２１に軸支部材３１を介して面内方向回転可能に軸着している。軸支部材３１の一端部が取付けリング２１に固定され、カバー片２０が軸支部材３１に対して回転自在となって、軸支部材３１の他端部はカバー片２０が抜け出ないように抜け止め加工されている。尚、カバー片２０と軸支部材３１が一体で、軸支部材３１が取付けリング２１に対して回転自在としている態様でも構わない。ここで、軸支部材３１は、正面視において、カバー片２０に対してはカバー片２０の重心からずれて位置し、取付けリング２１に対しては取付けリング２１の外縁近傍に位置しており、通常時はカバー片２０が自重垂下によりドアスコープ室内側覗き部１９を遮蔽し、居住者が室外側を観察するためにカバー片２０を１８０度回転させてドアスコープ室内側覗き部１９を開放する場合は取付けリング２１の外縁部がドアスコープ室内側覗き部１９に干渉せず、ドアスコープ室内側覗き部１９を十分に露出できると共に、ドアスコープ６とドアスコープ用カバー７をドア本体３にを取付ける際に、ドアスコープ６を締め込むコインやドライバー等の工具が、カバー片２０の外縁部と干渉しない構成となっている。実施例では、取付けリング２１中心と開口穴２６中心を約２．５ｍｍずらして、工具がカバー片２０の縁部と干渉しない構成としている。また、カバー片２０は取付けリング２１に軸支部材３１を介して面内方向回転可能に軸着しているが、カバー片２０が取付けリング２１に対し軸着する態様として図５に示すように、カバー片２０が取付けリング２１に対して面内方向の回転ではなく、面外方向回転可能に軸支されている構成でも構わない。ただし、両態様において、カバー片２０の自重垂下によりカバー片２０がアスコープ室内側覗き部１９を遮蔽するように、軸着位置が取付けリング２１の略上部側に位置してドアスコープ用カバー７をドア本体３に設けることが必要である。
【００１８】
取付けリング２１のドア側面３０には、取付リング２１の回転を防止する突起部材２２が突出しており、突起部材２２がドア本体３に設けられた挿入穴４１に挿入されて、ドアスコープ６の外筒１６に回転可能な状態で外嵌されてドア本体３に取付いている取付けリング２１のドア本体３に対する回転は防止される。突起部材２２は軸支部材３１の一端部が取付けリング２１のドア側面３０に突出して、前記突出した軸支部材３１の一端部側に軸支部材抜け止め用のパイプ材３２が嵌着され、軸支部材３１と突起部材２２を同一の部材で構成している。軸支部材３１と突起部材２２を同一の部材で構成することにより、ドアスコープ用カバー７の製作が容易であり、また、ドア本体に設ける突起部材２２の挿入穴４１の位置も容易に決めることができる。尚、軸支部材３１と突起部材２２を同一の部材で構成したが、図６（A）、（B）に示すように、軸支部材３１と突起部材２２は同一部材ではなく、異なる部材で異なる位置に配置しても構わない。また、突起部材２２は取付けリング２１のドア側面３０に突起していればよく、図６（A）の円柱形状、図６（B）の円錐形状、針形状、または、取付けリング２１の一部をドア側面に折り曲げて突出したものでも構わない。また、突起部材２２の個数は複数であってもよい。突起部材２２が円錐形状や針形状であれば、ドア本体３が木質の場合、ドア本体３に突起部材２２用の挿入穴を設けなくても、取付けリング２１をドア本体３に押し付けることにより突起部材２２の先端をドア本体３に差込んで取付けリング２１のドア本体３に対する回転を防止することができるため、取付けが容易であり、また、既設のドアにドアスコープ用カバー７を後付けすることができる。
【００１９】
また、回転防止手段は、取付けリング２１のドア側面３０に突起部材２２を設ける態様ではなく、取付けリング２１のドア側面に、ゴムなどのように弾性変形可能で摩擦係数が大きい材料をシート状にしたシート部材を貼着あるいは当接させるなどの、取付けリング２１のドア本体３に対する回転を妨げる作用を有する構成でも構わない。前記シート部材の場合は、ドアスコープ６を閉め込んでドア本体３にドアスコープ用カバー７を取付けることにより、前記シート部材は室内側ドア板４２と取付けリング２１に圧縮密着するため、ドアスコープ用カバー７は室内側ドア板４２に対して回転しにくくなると共に、前記シート部材が弾性変形をするため、閉め込んでドア本体３に取付けたドアスコープ６の緩みを防止する効果も有する。
【００２０】
図１（B）は、取付けリング２１の回転を防止する突起部材２２を有しているドアスコープ用カバー７が設けられるために用いられるドア本体３を示す。ドア本体３にはドアスコープ６を取付けるためのドアスコープ用取付け穴４０とドアスコープ用カバー７を取付けるための挿入穴４１とが加工されている。ドアスコープ用取付け穴４０はドア本体３の室内側面と室外側面に設けられた貫通穴であり、ドアスコープ用取付け穴４０の径はドアスコープ６の内筒１２および外筒１６よりも大きな寸法で、室外側フランジ１０と室内側フランジ１４よりも小さい径である。一方、挿入穴４１はドア本体３の室内側面に設けられた凹状穴であり、ドアスコープ用カバー７のカバー片２０が自重垂下によりアスコープ室内側覗き部１９を遮蔽するように軸着位置が取付けリング２１の略上部側に位置した状態における突起部材２２の位置に加工されている。挿入穴４１の径は突起部材２２が挿入できる径であればよい。ただし、突起部材２２と軸支部材３１が同一部材であり、カバー片２０と軸支部材３１が一体で、軸支部材３１が取付けリング２１に対して回転自在としている態様の場合は、軸支部材３１である突起部材２２が回転自在となるような挿入穴４１の径としなければならない。
【産業上の利用可能性】
【００２１】
本発明は、マンションや住宅などの建物開口部に設置されるドアに利用可能である。
【図面の簡単な説明】
【００２２】
【図１】（A）ドアスコープ用カバーが設けられたドアの全体正面図     （B）ドアスコープ用カバーが設けられるために用いられるドア本体の正面図
【図２】（A）通常時におけるドアスコープ用カバーが取付いたドア本体の正面詳細図     （B）通常時におけるドアスコープ用カバーが取付いたドア本体の断面詳細図
【図３】（A）観察時におけるドアスコープ用カバーが取付いたドア本体の正面詳細図     （B）観察時におけるドアスコープ用カバーが取付いたドア本体の断面詳細図
【図４】（A）ドアスコープ用カバーの正面図     （B）ドアスコープ用カバーの断面図
【図５】他の実施例のドアスコープ用カバーが取付いたドア本体の断面詳細図
【図６】（A）他の実施例のドアスコープ用カバーの側面図     （B）他の実施例のドアスコープ用カバーの側面図
【符号の説明】
【００２３】
３    ドア本体
６    ドアスコープ
７    ドアスコープ用カバー
１９  ドアスコープ室内側覗き部
２０  遮蔽部材（カバー片）
２１  装着部材（取付けリング）
２２  回転防止手段（突起部材）
【図１】
0004762656.tif 000002
【図２】
0004762656.tif 000003
【図３】
0004762656.tif 000004
【図４】
0004762656.tif 000005
【図５】
0004762656.tif 000006
【図６】
0004762656.tif 000007